(57)【要約】【課題】  無線ＩＤタグの設置が容易で、かつ、外部からその設置が観察されにくい構成とした無線ＩＤタグを用いた監視システムを提供する。【解決手段】  無線ＩＤタグ１０と、無線ＩＤタグ１０に記録されたＩＤを読み取るモニタ装置２０とから構成される無線ＩＤタグを用いた監視システムにおいて、開口部枠体３１と可動部枠体３２ａ、３２ｂとから構成され、可動部枠体３２ａ、３２ｂが閉位置にある時に開口部枠体３１と可動部枠体３２ａ等とが対向する開閉部であって、前記開口部枠体３１と可動部枠体３２ａ等の一方の対向面に無線ＩＤタグ１０を設置するとともに、他方の対向面に無線ＩＤタグ１０の電波を遮蔽する電波遮蔽体４０を設置し、または、他方の対向面を無線ＩＤタグ１０の電波を遮蔽する電波遮蔽体４０で構成し、モニタ装置２０により無線ＩＤタグ１０の電波を受信し開閉部の開閉状態を監視する。【選択図】        図１
2006139680.tif 000002
【特許請求の範囲】
【請求項１】
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開口部枠体と可動部枠体とから構成され、前記可動部枠体が閉位置にある時に前記開口部枠体と可動部枠体とが対向する開閉部であって、前記開口部枠体と可動部枠体の一方の対向面に無線ＩＤタグを設置するとともに、他方の対向面に前記無線ＩＤタグの電波を遮蔽する電波遮蔽体を設置し、または、前記他方の対向面を前記無線ＩＤタグの電波を遮蔽する電波遮蔽体で構成し、前記モニタ装置により無線ＩＤタグの電波を受信し前記開閉部の開閉状態を監視することを特徴とする無線ＩＤタグを用いた監視システム。
【請求項２】
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開口部枠体と可動部本体とから構成され、前記可動部本体が閉位置にある時に前記開口部枠体と可動部本体とが対向する開閉部において、前記可動部本体の内側であって、開口部枠体に近接した位置に無線ＩＤタグを設置し、該可動部本体が閉位置にある時に前記無線ＩＤタグの電波を遮蔽する開口部枠体の位置に電波遮蔽体を設置し、前記モニタ装置により無線ＩＤタグの電波を受信し前記開閉部の開閉状態を監視することを特徴とする無線ＩＤタグを用いた監視システム。
【請求項３】
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開閉部を有する金属筐体内に前記無線ＩＤタグを設置し、前記開閉部が開状態とされた際に、前記モニタ装置により無線ＩＤタグの電波を受信し前記開閉部の開閉状態を監視することを特徴とする無線ＩＤタグを用いた監視システム。
【請求項４】
前記無線ＩＤタグには、設置位置を識別するためのユニークなＩＤが記録されたことを特徴とする請求項１〜請求項３の何れか１項に記載の無線ＩＤタグを用いた監視システム。
【請求項５】
前記モニタ装置には、前記無線ＩＤタグ毎に当該無線ＩＤタグに記録されたＩＤとその設置場所および該ＩＤの読み取り成否に基づく前記設置場所の開閉状態を示す情報を記憶するメモリを備え、前記開閉部の開閉状態を監視することを特徴とする請求項１〜請求項３の何れか１項に記載の無線ＩＤタグを用いた監視システム。
【発明の詳細な説明】
【技術分野】
【０００１】
本発明は、住宅、ビルなどにおける窓、ドアなどの開閉部の開閉状態を監視する監視システムに関し、特に開閉部に無線ＩＤタグを設置してその開閉状態を監視する無線ＩＤタグを用いた監視システムにおいて、無線ＩＤタグの設置が容易で、かつ、外部からその設置が観察されにくい構成とした無線ＩＤタグを用いた監視システムに関するものである。
【背景技術】
【０００２】
近年、わが国においては生活環境の変化が生じており、特に、侵入盗などの犯罪が日常的に発生するようになってきている。このため、住宅、ビルなどを対象にした多様なセキュリティーシステムが提供されている。一般にこのようなセキュリティーシステムには個人認証を用いた出入り口の通行を監視するシステム、玄関や窓などの開閉部の施錠、開錠を制御するシステム、夜間や不在時における玄関や窓などの開閉部の不所望な開閉状態を監視し警報を発するシステムなどが知られており、多数の住宅やビルに設置されようになってきている。
【０００３】
玄関や窓などの開閉部の不所望な開閉状態を監視し警報を発するシステムとして、最近無線ＩＤタグ（ＲＦ（Radio Frequency）タグ、ＲＦ−ＩＤタグ、ＩＣタグ、電子タグともいう。）を用いたシステムが提案されている。無線ＩＤタグは、一般的には物流管理のシステムに用いられているものであり、例えば、下記の特許文献１（特許第３１６５２５６号公報）には、倉庫に入出荷する荷物を識別監視するシステムが開示されている。特許文献１に開示されたシステムは、製品等の荷物を載置するパレットにパレットを識別するためのユニット番号などのＩＤコードを記録した無線ＩＤタグを設置し、パレットを運搬するフォークリフトに当該無線タグからＩＤコードを読み取るリーダを装備することによってパレットに載置された荷物の入出荷を管理するようにしたものである。
【０００４】
このような無線ＩＤタグは設置に際して配線を施す必要がなく、無線ＩＤタグに記録されたＩＤを読み取ることによって個々の無線ＩＤタグを識別でき１台のリーダで複数の無線ＩＤタグの情報を読み出すことができ、安価にシステムを構築できること、無線ＩＤタグに記録されたＩＤを読み取ることで設置場所を識別できることから、住宅やビルにおける窓やドアなどに設置して各無線ＩＤタグのＩＤを読み取ることでその設置場所を識別して位置情報を管理するシステムとしても用いられている。例えば、下記の特許文献２（特開２００３−２２８４２０号公報）には、ＳＡＷ−ＩＤタグによるロボット位置情報管理システムが開示されている。
【０００５】
このＳＡＷ−ＩＤタグによるロボット位置情報管理システムは、屋内にある自走可能なロボットの位置情報管理及び当該屋内におけるセキュリティー管理等を行うことができる、ＳＡＷ−ＩＤタグによるロボット位置情報管理システムであり、異なるＩＤパターンを発生することが可能な固有のＩＤパターンを有するＳＡＷ−ＩＤタグを屋内の天井，壁，ドア，引戸及び窓等に貼付する。また、ロボットが当該ＳＡＷ−ＩＤタグに対し検出用のパルス信号を発射することにより、該パルス信号を受信したＳＡＷ−ＩＤタグは固有のＩＤパターンを反射する。そして、該反射されたＩＤパターンをロボットが受信して各ＩＤパターンのビット内容及び各ＩＤパターンの反射時間を演算処理することにより当該ロボットの位置情報やドア，引戸及び窓等の開閉状態を検出する。そして、該情報をネットワークを経由してロボット管理センターに送信することにより、位置情報管理及びセキュリティー管理等を行うように構成したものである。
【０００６】
また、住宅やビルにおける無線タグを用いたセキュリティーシステムとしては、例えば、下記の特許文献３（特開２００４−２５２７９０号公報）にセキュリティー用無線タグおよびセキュリティー装置が開示されている。このセキュリティー用無線タグおよびセキュリティー装置は、セキュリティー用無線タグの電池の消耗を抑え、電池切れ（又は故障）を迅速に発見できるように構成してものである。すなわち、開閉連動スイッチは、窓またはドアが開いたときにオンになって送信回路、警報音発生回路およびマイコンへ電池から給電する。マイコンは、給電されたら識別子信号を断続的（数秒に１回）に送信するように送信回路を制御すると共に警報音を発生するように警報音発生回路を制御する。受信機は、識別子信号を受信したら警報を出力すると共に、識別子信号を長期間受信しなかったら注意を喚起するように構成したものである。
【特許文献１】特許第３１６５２５６号公報（図１、図２、段落［００１５］、段落［００１６］）
【特許文献２】特開２００３−２２８４２０号公報（図１、図２、段落［００１４］〜段落［００１７］）
【特許文献３】特開２００４−２５２７９０号公報（図１、図２、段落［００１８］〜段落［００２０］）
【発明の開示】
【発明が解決しようとする課題】
【０００７】
ところで、住宅、ビルなどにおける窓、ドアなどの開閉部の不所望な開閉状態を監視するセキュリティーシステムとして、無線ＩＤタグを用いる場合には、無線ＩＤタグの設置が容易かつ安価に行えること、また、防犯の観点からは外部から無線ＩＤタグの設置有無が観察されにくい構成であることが好ましい。なぜならば外部から防犯用の設備設置が判別できる場合には、当該設備を作動不能にした後に侵入などの行為がなされる危険があるためである。
【０００８】
しかしながら、上記特許文献２に開示された位置情報管理システムは、窓やドア、壁、天井に無線ＩＤタグを貼り付けて設置し、無線ＩＤタグ（ＳＡＷ−ＩＤタグ）からＩＤを読み取るためのパルスを送信し、無線ＩＤタグからの反射波を検出するリーダを自走式ロボットに装備したもものであって、システムの構築コストが大きなものになるという問題点があり、また、窓やドアに無線ＩＤタグを貼り付けのものであるから、設置自体は容易であったとしても、外部から容易に無線ＩＤタグの設置状況が観察されてしまうという問題点があった。
【０００９】
また、上記特許文献３に開示されたセキュリティー用無線タグおよびセキュリティー装置は、窓などの開閉部に無線ＩＤタグを設置するとともに、当該窓やドアの開閉に連動する開閉連動スイッチを設け、該開閉連動スイッチの作動により窓やドアが開いたときスイッチオンとなり、無線ＩＤタグの送信回路、警報音発生回路、マイコンへ電池から給電するようにして電池消耗を抑制するようにしたものであり、構成が複雑でコスト高になるという問題点があった。また、窓やドアに無線ＩＤタグを貼り付けのものであるから、外部から容易に無線ＩＤタグの設置状況が観察されてしまうという問題点があった。
【００１０】
本願の発明者は、前記の問題点を解消すべく種々検討を重ねた結果、窓やドアなどの開閉部をする開口部枠体と窓枠サッシなどの可動部枠体との対向部の一方に無線ＩＤタグを設置し、これと対向して他方に電波遮蔽体を配置することを着想したものである。これによって、可動部枠体が閉位置にある時には無線ＩＤタグの電波が遮蔽され、可動部枠体が可動される（すなわち、開状態にされる）と、無線ＩＤタグの電波が屋内に設置されたリーダによって読み取られるように構成することによって前記の問題点を解消し得ることに想到して本発明を完成するに至ったものである。
【００１１】
すなわち、本発明は、前記の問題点を解消することを課題とし、無線ＩＤタグを用いた監視システムにおいて、無線ＩＤタグの設置が容易で、かつ、外部からその設置が観察されにくい構成とした無線ＩＤタグを用いた監視システムを提供することを目的とするものである。
【課題を解決するための手段】
【００１２】
前記課題を解決するために、本願の請求項１にかかる発明は、
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開口部枠体と可動部枠体とから構成され、前記可動部枠体が閉位置にある時に前記開口部枠体と可動部枠体とが対向する開閉部であって、前記開口部枠体と可動部枠体の一方の対向面に無線ＩＤタグを設置するとともに、他方の対向面に前記無線ＩＤタグの電波を遮蔽する電波遮蔽体を設置し、または、前記他方の対向面を前記無線ＩＤタグの電波を遮蔽する電波遮蔽体で構成し、前記モニタ装置により無線ＩＤタグの電波を受信し前記開閉部の開閉状態を監視することを特徴とする。
【００１３】
また、本願の請求項２にかかる発明は、
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開口部枠体と可動部本体とから構成され、前記可動部本体が閉位置にある時に前記開口部枠体と可動部本体とが対向する開閉部において、前記可動部本体の内側であって、開口部枠体に近接した位置に無線ＩＤタグを設置し、該可動部本体が閉位置にある時に前記無線ＩＤタグの電波を遮蔽する開口部枠体の位置に電波遮蔽体を設置し、前記モニタ装置により無線ＩＤタグの電波を受信し前記開閉部の開閉状態を監視することを特徴とする。
【００１４】
また、本願の請求項３にかかる発明は、
無線ＩＤタグと、該無線ＩＤタグからの受信信号に基づいて当該無線ＩＤタグに記録されたＩＤを読み取るモニタ装置とから構成される無線ＩＤタグを用いた監視システムにおいて、
開閉部を有する金属筐体内に前記無線ＩＤタグを設置し、前記開閉部が開状態とされた際に、前記モニタ装置により無線ＩＤタグの電波を受信し前記開閉部の開閉状態を監視することを特徴とする。
【００１５】
また、本願の請求項４にかかる発明は、請求項１〜３の何れかの発明において、前記無線ＩＤタグには、設置位置を識別するためのユニークなＩＤが記録されたことを特徴とする請求項１〜請求項３の何れか１項に記載の無線ＩＤタグを用いた監視システム。
【００１６】
また、本願の請求項５にかかる発明は、請求項１〜３の何れかの発明において、前記モニタ装置には、前記無線ＩＤタグ毎に当該無線ＩＤタグに記録されたＩＤとその設置場所および該ＩＤの読み取り成否に基づく前記設置場所の開閉状態を示す情報を記憶するメモリを備え、前記開閉部の開閉状態を監視することを特徴とする請求項１〜請求項３の何れか１項に記載の無線ＩＤタグを用いた監視システム。
【発明の効果】
【００１７】
請求項１にかかる発明においては、開口部枠体と可動部枠体とから構成され、前記可動部枠体が閉位置にある時に前記開口部枠体と可動部枠体とが対向する開閉部であって、前記開口部枠体と可動部枠体の一方の対向面に無線ＩＤタグを設置するとともに、他方の対向面に前記無線ＩＤタグの電波を遮蔽する電波遮蔽体を設置し、または、前記他方の対向面を前記無線ＩＤタグの電波を遮蔽する電波遮蔽体で構成し、モニタ装置によって、開閉状態を監視する。
【００１８】
従って、窓などの開閉部への無線ＩＤタグの設置が容易であり、かつ、外部から無線ＩＤタグの設置状況が観察され難くすることができるようになる。また、モニタ装置により無線ＩＤタグの設置場所を識別してその開閉状況を監視し、警報を発することができるようになる。
【００１９】
また、請求項２にかかる発明においては、開口部枠体と可動部本体とから構成され、前記可動部本体が閉位置にある時に前記開口部枠体と可動部本体とが対向する開閉部において、前記可動部本体の内側であって、開口部枠体に近接した位置に無線ＩＤタグを設置し、該可動部本体が閉位置にある時に前記無線ＩＤタグの電波を遮蔽する開口部枠体の位置に電波遮蔽体を設置し、モニタ装置によって、開閉状態を監視する。
【００２０】
従って、ドアなどの開閉部への無線ＩＤタグの設置が容易であり、かつ、外部から無線ＩＤタグの設置状況が観察され難くすることができるようになる。また、モニタ装置により無線ＩＤタグの設置場所を識別してその開閉状況を監視し、警報を発することができるようになる。
【００２１】
また、請求項３にかかる発明においては、開閉部を有する金属筐体内に前記無線ＩＤタグを設置し、前記開閉部が開状態とされた際に、前記モニタ装置により無線ＩＤタグの電波を受信し前記開閉部の開閉状態を監視する。
【００２２】
従って、金庫などに無線ＩＤタグを設置するのみで、その開閉部の開閉状態を容易に監視し、警報を発することができるようになる。
【００２３】
また、請求項４にかかる発明においては、無線ＩＤタグには、設置位置を識別するためのユニークなＩＤが記録されている。従って、モニタ装置は、無線ＩＤタグの設置位置を識別することができ、無線ＩＤタグの設置位置毎の開閉状態を監視することができるようになる。
【００２４】
また、請求項５にかかる発明においては、モニタ装置には、無線ＩＤタグ毎に当該無線ＩＤタグに記録されたＩＤとその設置場所および該ＩＤの読み取り成否に基づく設置場所の開閉状態を示す情報を記憶するメモリを備え、前記開閉部の開閉状態を監視する。従って、モニタ装置は、無線ＩＤタグの設置位置を識別することができ、無線ＩＤタグの設置位置毎の開閉状態を監視することができるようになる。
【発明を実施するための最良の形態】
【００２５】
以下、本発明の具体例を実施例及び図面を用いて詳細に説明する。図１は、本発明の実施例にかかるセキュリティーシステムの構成を示すブロック図である。図２は、本発明のセキュリティーシステムを屋内に構築した場合の構成を示す模式図である。図３は、無線ＩＤタグを窓に設置した場合の構成を示す斜視図である。図４は、図３における窓の開閉状態を示す拡大斜視図であり、図４（ａ）は窓が開けられた状態を、図４（ｂ）は窓が閉じられた状態を示す拡大斜視図である。図５は、ドアなどの開口部に無線ＩＤタグを設置した場合の構成を示す部分斜視図である。図６は、本発明の実施例にかかるセキュリティー監視の手順を示すフローチャートである。
【実施例】
【００２６】
本発明の実施例にかかるセキュリティーシステムは、図１に示すように、建物、ビルなどにおけるドアや窓などの開口部に設置される無線ＩＤタグ１０と無線ＩＤタグ１０からの電波を受信し当該無線ＩＤタグ１０に記録されたＩＤ（識別コードなど）を読み取り、または、当該無線ＩＤタグ１０にＩＤを書き込むモニタ装置２０とから構成される。無線ＩＤタグ１０は、例えば、窓などの開口部に設置されるが、窓が閉じられた状態では電波を遮蔽する電磁シールド体（電波遮蔽体）が当該無線ＩＤタグに対向して設置される。従って、モニタ装置２０は、窓が閉じられた状態にある時には無線ＩＤタグ１０からの電波が遮断され、当該ＩＤタグに記録されたＩＤを読み取ることができない。他方、窓が開かれた状態になると、無線ＩＤタグ１０に対向して設置された電磁シールド体が無線ＩＤタグ１０から離れ、モニタ装置２０が無線ＩＤタグ１０に記録されているＩＤを読み取ることができるようになる。本実施例は、これを利用して無線ＩＤタグ１０が設置された窓などの開閉部の開閉状態をモニタ装置２０で監視し、不所望に窓が開状態とされた場合に警報を発するように構成するものである。
【００２７】
図２は、モニタ装置２０家屋内の適宜の場所に設置し、複数の無線ＩＤタグ１０ａ〜１０ｊを家屋、家屋内に設備された金庫などの各開口部に設置してセキュリティーシステムを構築した場合の構成を示す図である。図２において、例えば、玄関には無線ＩＤタグ１０ｅが、勝手口には無線ＩＤタグ１０ｃが、各窓には無線ＩＤタグ１０ａ、１０ｂ、１０ｄ、１０ｆ〜１０ｊが設置されている。
【００２８】
図１において、無線ＩＤタグ１０はマイクロコンピュータチップなどのＩＣチップで構成され、アンテナ１２、送受信部１４、制御回路１６、メモリ１８を備えている。アンテナ１２は電波を放射または受波するものであり、送受信回路はモニタ装置２０に送信する送信信号を生成し、また、モニタ装置２０からの信号を受信するものである。制御回路１６は各部の制御を行い、メモリ１８には当該無線ＩＤタグ１０に固有の（ユニークな）識別情報（ＩＤコード、以下単にＩＤという）が記憶される。このＩＤは、モニタ装置２０によって設置前、もしくは、設置後に書き込むことができる。図１の無線ＩＤタグではＩＤとして図示したように「１００１」書き込まれている。メモリ１８に記憶されたＩＤは、前述したようにモニタ装置２０によって読み取ることができる。
【００２９】
一方、モニタ装置２０は、無線ＩＤタグ用のタグ用アンテナ２１、電話通信用の電話用アンテナ２２、タグ用送受信回路２３、電話用送受信回路２４、制御回路２６、スイッチ２９、メモリ２８から構成されている。タグ用アンテナ２１、電話用アンテナ２２、タグ用送受信回路２３、電話用送受信回路２４、制御回路２６の機能は無線ＩＤタグ１０で説明したと同様であるが、電話用アンテナ２２、電話用送受信回路２４は、窓などの開閉部が不所望の状態で開状態にされた場合に、警報情報を電話情報として通信するためのものである。スイッチ２９はモニタ装置２０を監視状態にするためのものであり、例えば、住宅を留守にする場合、スイッチ２９をオンしてモニタ装置２０の電源を起動し監視動作を開始させるものである。
【００３０】
メモリ２８には、各開口部に設置された無線ＩＤタグのそれぞれのＩＤが記憶される。例えば、図１に示すように無線ＩＤタグ１０の設置場所（玄関、勝手口（居間〜部屋１、部屋２）、金庫など）と各設置場所に設置された無線ＩＤタグ１０のＩＤ（「１００１」〜「１００７」）が記憶され、状態欄には、モニタ装置２０が監視状態において各無線ＩＤタグ１０をサーチしその開閉状態を記憶する。例えば、玄関に設置した無線ＩＤタグ１０からＩＤが読み取れている場合に状態欄には「閉」が記憶される。モニタ装置２０が監視状態にある場合には、周期的に各無線ＩＤタグ１０の監視が行われ、開状態（これまで「閉」状態にあった無線ＩＤタグ１０のＩＤが読み取れなくなった場合には「開」状態になり、制御回路２６は電話用送受信回路２４で警報情報を生成し、電話通信で家人もしくは警備会社などに警報を発する。
【００３１】
次に無線ＩＤタグ１０の設置構造について説明する。図３は、無線ＩＤタグ１０を窓に設置した場合の構成を示す斜視図である。図３に示すように窓は、開口を構成する開口部枠体３１に設けられた図示していないレールにアルミサッシなどの可動部枠体３２ａ、３２ｂがはめ込まれ、可動部枠体３２ａ、３２ｂにガラスなどがはめ込まれて構成されており、可動部枠体３２ａまたは３２ｂをスライドすることにより窓の開閉が行われる。図４は、この設置部分（図３の円で囲んだ部分）を拡大して示す拡大斜視図であり、無線ＩＤタグ１０は、開口部枠体３１と可動部枠体３２ａとの対向部の一方に無線ＩＤタグ１０を設置し、これと対向して他方に電波遮蔽体（電磁シールド体）４０が設けられる。
【００３２】
図４（ａ）は窓が閉じられた状態を示しており、この状態では開口部枠体３１と可動部枠体３２ａとが接していて無線ＩＤタグ１０は電波遮蔽体４０と接しているため、モニタ装置２０は無線ＩＤタグ１０のＩＤを読み取ることができず、「閉」状態であることがわかる。一方、図４（ｂ）は、窓が開かれた状態すなわち可動部枠体３２ａがスライドされた状態であり、この状態では、開口部枠体３１と可動部枠体３２ａが離れ、無線ＩＤタグ１０と電磁遮蔽体４０が離間しているため、モニタ装置２０は無線ＩＤタグ１０のＩＤを読み取ることができ、「開」状態であることがわかる。
【００３３】
なお、可動部枠体３２ａ、３２Ｓｂがアルミサッシである場合には、アルミサッシ自体が電磁遮蔽体（電磁シールド）の機能を持つため、別体の電磁遮蔽体を設置する必要がない。従って、本発明においては、可動部枠体が木製の枠体である場合には電磁遮蔽体４０を設置し実質的電磁遮蔽体となるように構成する。また、窓が閉じられた状態では開口部枠体３１と可動部枠体３２ａ、３２Ｓｂが接触しており、外部から観察しても無線ＩＤタグ１０が設置されていることを視認することができない。
【００３４】
図５は、ドアなどの開口部に無線ＩＤタグ１０と電磁遮蔽体４０を設置した場合の構成を示す図である。玄関ドアなど、室外側あるいは室内側にドアが開かれる開口部においては、図５に示すように、ドア本体である可動部本体５０ｂは、室外側に開かれ、閉じられた状態では、可動部本体５０ｂの枠体が開口部枠体５０ａと対向する。無線ＩＤタグ１０は、可動部本体５０ｂの内側（室内側）であって、開口部枠体５０ａに近接した位置に設置されている。そして、可動部本体５０ｂが閉位置（室外側）にある時に無線ＩＤタグ１０の電波を遮蔽する位置関係になるように開口部枠体５０ａ上の位置に電磁遮蔽体４０が設置されている。
【００３５】
従って、ドア本体である可動部本体５０ｂが閉じられた状態では、可動部本体５０ｂに設置された無線ＩＤタグ１０は電波遮蔽体４０によってシールドされるため、モニタ装置２０は無線ＩＤタグ１０のＩＤを読み取ることができず、「閉」状態であることがわかる。一方、ドア本体である可動部本体５０ｂが開かれた状態では、可動部本体５０ｂに設置された無線ＩＤタグ１０と電波遮蔽体４０が離間する位置関係となり無線ＩＤタグ１０の電波が遮蔽されない。従って、モニタ装置２０は無線ＩＤタグ１０のＩＤを読み取ることができ、「開」状態であることがわかる。
【００３６】
このようなセキュリティーシステムは、家庭やオフィス内に設置される金庫などの開閉状態の監視にも応用することができる。この場合、金庫は開閉部を有する金属性の筐体から構成されている。このため、無線ＩＤタグ１０を金庫内に設置すれば、金庫の筐体自体が電磁遮蔽体として作用するため、金庫の扉が閉じられた状態では、可動部本体５０ｂに設置された無線ＩＤタグ１０は電波遮蔽体４０によってシールドされるため、モニタ装置２０は無線ＩＤタグ１０のＩＤを読み取ることができず、「閉」状態であることがわかる。一方、金庫の扉が開かれた状態では、金庫内に設置された無線ＩＤタグ１０の電波が遮蔽されず、モニタ装置２０は無線ＩＤタグ１０のＩＤを読み取ることができ、「開」状態であることがわかる。
【００３７】
以下、本発明の実施例にかかるセキュリティーシステムの監視動作の手順を図６に示すフローチャートを参照して説明する。先ず、留守にする場合など、このセキュリティーシステムを監視状態とするため、モニタ装置２０のスイッチ２９をオンにする。スイッチ２９がオンされるとモニタ装置２０の電源が入り監視動作か開始される。この監視動作は一定の周期でモニタ装置２０が各無線ＩＤタグ１０（図２の１０ａ〜１０ｊ）をサーチしてそのＩＤを読み取り、開状態が検出されると警報を生成、送信する動作である。
【００３８】
スイッチのオン・オフは外出時に手動でキーを操作する方法であってもよく、モニタ装置２０が電話用アンテナ２２、電話用送受信回路２４を備えており、携帯電話によりスイッチをリモート操作して行っても良い。また、モニタ装置２０の監視動作として複数の監視モードを設定することもできる。例えば、家族全員が留守になる場合の監視モード（警報を警備会社および家人の携帯電話に送信するモード）、子供や老人のみが在宅の場合の監視モード（「開」状態となったＩＤ（該当する無線ＩＤタグ１０の設置場所）を外出中の家人の携帯電話に送信するモード）のように、監視動作の手順を監視モードにより追加、あるいは、異ならせて適宜の監視レベルとすることもできる。本実施例のスイッチはオン操作されれば次にオフ操作されるまでオン状態を維持するスイッチである。
【００３９】
モニタ装置２０が前述のようにして監視動作を開始すると、制御回路２６の制御プログラムは、ステップＳ１０でモニタ装置２０がスイッチ２９がオンされているか否か、すなわち、モニタ装置２０が監視モードか否かをチェックする。監視モードでなければステップＳ１０に戻り、スイッチ２９がオンされるのを待機する。監視モードであれば、次に、ステップＳ１１で無線ＩＤタグ１０をサーチするサーチ周期であるか、否かをチェックする。サーチ周期であれば、ステップＳ１２に進み各無線ＩＤタグ１０を順次サーチし無線ＩＤタグに記憶されているＩＤを読み取る。この結果に基づきステップＳ１３で各無線ＩＤタグの設置場所の「開」「閉」状況をチェックしていく。開状態（無線ＩＤタグ１０からＩＤを読み取れた状態）でなければ、ステップＳ１０に戻る。
【００４０】
ステップＳ１３で開状態（無線ＩＤタグ１０からＩＤを読み取れた状態）の無線ＩＤタグ１０が発見されたらステップＳ１４で電話用送受信回路２４、電話用アンテナ２２を介して、警報情報を生成し、電話通信で家人もしくは警備会社などに警報を発して、ステップＳ１０に戻る。
【００４１】
上記の実施例において、電磁遮蔽体４０の材料としては、一般的にプラスチック、ガラス、紙などの絶縁基材表面に導電体を形成した材料、プラスチック、ガラス、紙などの絶縁性材料と、導電フィラー、金属粉、金属フレークなどの導電材料を複合（ミックス）した材料を使用することができる。基材に導電性材料を形成する表面処理方法としては、導電性塗料を塗布する方法、無電解メッキ、金属溶射、アルミ蒸着、スパッタリングなどの方法を使用することができる。また、金属メッシュ、金属テープを張り合わせた材料、金属筐体、金属板などの材料を使用することもできる。
【００４２】
尚、上述の実施例はセキュリティーシステムであったが、セキュリティー以外の開閉監視にも適用することができる。例えば、ドアの開閉に連動した照明制御システム、窓やドアや便器の蓋の開閉に連動した空調制御システムに適用することができる。
【００４３】
また、開閉のみならず、位置移動の監視に適用することもできる。例えば、金庫を載置している台に無線ＩＤタグを固定しておき、金庫の位置移動により電磁波の遮断が開放されて金庫の位置移動を報知するシステムや、上履き棚に無線ＩＤタグを固定しておき、シールド板付上履きの位置移動の検出する入室者管理システムや、同様の方法で棚に置いた商品の在庫管理や、複数の無線ＩＤタグ中、シールド板付駒（指サックでもよい）の位置により電磁波の遮断をする無線ＩＤタグを選択して動作を切り替える載置型スイッチに適用することができる。
【産業上の利用可能性】
【００４４】
以上、詳細に説明したように、本発明にかかる監視システムは住宅やビルにおける窓、ドアなどの開閉部の不所望な「開」状態を検出して警報を発するものであり、安価なコストで簡単に設置でき、また外部から監視システムの設置状態が見えないようにすることができ、住宅やビルの監視システムとして好適である。更に、このシステムは、金庫の開閉、タンスの引き出しの開閉、照明用シーソースイッチの開閉を検出するシステムとして多くの用途に適用することができる。
【図面の簡単な説明】
【００４５】
【図１】本発明の実施例にかかるセキュリティーシステムの構成を示すブロック図である。
【図２】本発明のセキュリティーシステムを屋内に構築した場合の構成を示す模式図である。
【図３】無線ＩＤタグを窓に設置した場合の構成を示す斜視図である。
【図４】図３における窓の開閉状態を示す拡大斜視図であり、図４（ａ）は窓が開けられた状態を、図４（ｂ）は窓が閉じられた状態を示す拡大斜視図である。
【図５】ドアなどの開口部に無線ＩＤタグを設置した場合の構成を示す部分斜視図である。
【図６】本発明の実施例にかかるセキュリティー監視の手順を示すフローチャートである。
【符号の説明】
【００４６】
１０、１０ａ〜１０ｊ・・・無線ＩＤタグ
１２・・・・アンテナ
１４・・・・送受信回路
１６・・・・制御回路
１８・・・・メモリ
２０・・・・モニタ装置
２１・・・・タグ用アンテナ
２２・・・・電話用アンテナ
２３・・・・タグ用送受信回路
２４・・・・電話用送受信回路
２６・・・・制御回路
２８・・・・メモリ
２９・・・・スイッチ
３１・・・・開口部枠体
３２ａ、３２ｂ・・・・可動部枠体
４０・・・・電波遮蔽体（電磁シールド体）
５０・・・・ドア
【図１】
2006139680.tif 000003
【図２】
2006139680.tif 000004
【図３】
2006139680.tif 000005
【図４】
2006139680.tif 000006
【図５】
2006139680.tif 000007
【図６】
2006139680.tif 000008